Podtech/llm-jp-corpus-v4-ja_patent huggingface dataset:
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
カメラ（１０）によって監視されるシーンを照明する照明器（２０）を制御する方法であって、
特定のクラスのオブジェクトに属する対象オブジェクトが前記シーンに存在するかどうかを決定すること（Ｓ４０２、Ｓ４０４）；
少なくとも１つの対象オブジェクトが前記シーンに存在すると決定された場合に、飽和閾値を第１の値に設定すること（Ｓ４０８）；
対象オブジェクトが前記シーンに存在しないと決定された場合に、前記飽和閾値を前記第１の値より低い第２の値に設定すること（Ｓ４１０）；
前記カメラ（１０）によってキャプチャされた前記シーンの画像内の飽和ピクセルを特定すること（Ｓ４１２）；
前記飽和ピクセルを含む飽和領域と前記画像の総面積との比率を決定すること（Ｓ４１４）；及び
前記比率が前記飽和閾値を上回った場合に、前記照明器の電力を低減させること（Ｓ４１８）
を含む、方法。
【請求項２】
前記少なくとも１つの対象オブジェクトのオブジェクトサイズを決定すること、
前記オブジェクトサイズがサイズ閾値未満の場合に、前記飽和閾値を前記第１の値に設定すること、
前記オブジェクトサイズが前記サイズ閾値以上の場合に、前記飽和閾値を前記第１の値より低い第３の値に設定すること
をさらに含む、請求項１に記載の方法。
【請求項３】
前記第３の値が前記第２の値に等しい、請求項２に記載の方法。
【請求項４】
前記対象オブジェクトのサイズが、前記カメラによってキャプチャされた画像から決定される、請求項２又は３に記載の方法。
【請求項５】
前記第１の値が、前記画像の前記総面積の５〜２５％、好ましくは７〜１５％、さらに好ましくは１０％に設定され、前記第２の値が、前記画像の前記総面積の１〜１５％、好ましくは３〜１０％、さらに好ましくは５％に設定される、請求項１から４のいずれか一項に記載の方法。
【請求項６】
前記比率が第１のマージンによって前記飽和閾値未満になった場合に、前記照明器（２０）の電力を増加させること（Ｓ４２０）をさらに含む、請求項１から５のいずれか一項に記載の方法。
【請求項７】
前記照明器がＩＲ照明器である、請求項１から６のいずれか一項に記載の方法。
【請求項８】
処理能力を有するデバイス上で実行されると、請求項１から７のいずれか一項に記載の方法を実行するように構成された、コンピュータ可読プログラムコードが記録されている、非一時的なコンピュータ可読記録媒体。
【請求項９】
カメラ（１０）によって監視されるシーンを照明する照明器（２０）を制御するように構成されたコントローラにおいて、該コントローラが、
前記照明器（２０）の電力を制御するように構成された制御機能（３４）；
対象オブジェクトが前記シーンに存在するかどうかを決定するように構成されたオブジェクトプレゼンス機能（３５）であって、前記対象オブジェクトが特定のクラスのオブジェクトに属している、オブジェクトプレゼンス機能（３５）；
飽和閾値設定機能（３６）であって、
少なくとも１つの対象オブジェクトが前記シーンに存在すると決定された場合に、飽和閾値を第１の値に設定し、
対象オブジェクトが前記シーンに存在しないと決定された場合に、前記飽和閾値を前記第１の値より低い第２の値に設定する
ように構成されている、飽和閾値設定機能（３６）；及び
飽和特定機能（３７）であって、
前記カメラによってキャプチャされた前記シーンの画像内の飽和ピクセルを特定し、
前記飽和ピクセルを含む飽和領域と前記画像の総面積との比率を決定する
ように構成されている、飽和特定機能（３７）
を実行するように構成された制御回路（３１）を備えており、
前記制御機能（３４）がさらに、前記比率が前記飽和閾値を上回った場合に、前記照明器の電力を低下させるように構成されている、
コントローラ。
【請求項１０】
前記制御回路（３１）がさらに、前記少なくとも１つの対象オブジェクトのオブジェクトサイズを決定するように構成されたオブジェクトサイズ決定機能（３８）を実行するように構成されており；かつ
前記飽和閾値設定機能（３６）がさらに、
前記オブジェクトサイズがサイズ閾値未満の場合に、前記飽和閾値を前記第１の値に設定し、
前記オブジェクトサイズがサイズ閾値以上の場合に、前記飽和閾値を前記第１の値より低い第３の値に設定する
ように構成されている、
請求項９に記載のコントローラ。
【請求項１１】
前記オブジェクトプレゼンス機能（３５）が、前記カメラ（１０）によってキャプチャされた画像からの前記シーンに対象オブジェクトが存在するかどうかを検出するように構成されている、請求項９又は１０に記載のコントローラ。
【請求項１２】
前記第１の値が、前記画像の前記総面積の５〜２５％、好ましくは７〜１５％、さらに好ましくは１０％に設定され、前記第２の値が、前記画像の前記総面積の１〜１５％、好ましくは３〜１０％、さらに好ましくは５％に設定される、請求項９から１１のいずれか一項に記載のコントローラ。
【請求項１３】
前記制御機能（３４）がさらに、前記比率が第１のマージンによって前記飽和閾値未満になった場合に、前記照明器（２０）の電力を増加させるように構成されている、請求項９から１２のいずれか一項に記載のコントローラ。
【請求項１４】
前記コントローラ（２０）が前記カメラ（１０）に実装される、請求項９から１３のいずれか一項に記載のコントローラ。
【請求項１５】
前記照明器（１０）がＩＲ照明器である、請求項９から１４のいずれか一項に記載のコントローラ。
【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
外部に光を放射する発光面となる第一主面と、前記第一主面の反対側の面であって凹部を備える第二主面とを有し、前記凹部が、実質的な平坦な面からなり前記凹部の開口部の大きさよりも小さい底面と、前記底面側に設けられ前記凹部の外側に向かって凸の湾曲面または前記開口部に向かって傾斜した平面を少なくとも有する側面と、を含む透光性の導光板と、
発光素子を含み、接合部材を介して前記凹部の底面に固着された発光体と、
前記発光素子の電極に形成された配線と、
を備えた発光モジュール。
【請求項２】
前記側面は、垂直な面を含む、請求項１に記載の発光モジュール。
【請求項３】
前記発光体が、発光素子と、前記発光素子の主発光面を覆う透光性部材を有する、請求項１又は２に記載の発光モジュール。
【請求項４】
前記凹部の開口部の内形が、前記透光性部材の外形よりも大きい、請求項３に記載の発光モジュール。
【請求項５】
前記透光性部材は、波長変換部材を含む、請求項３又は４に記載の発光モジュール。
【請求項６】
接合部材が、波長変換部材を含む、請求項１〜５のいずれか一項に記載の発光モジュール。
【請求項７】
前記発光体は、前記発光素子の側面を覆う第一光反射性部材を有する、請求項１〜６のいずれか一項に記載の発光モジュール。
【請求項８】
前記配線は、前記第一光反射性部材を被覆する、請求項７に記載の発光モジュール。
【請求項９】
前記導光板の前記第二主面および前記発光体を被覆する、第二光反射性部材を有する、請求項１〜８のいずれか一項に記載の発光モジュール。
【請求項１０】
前記配線は、前記第二光反射性部材を被覆する、請求項９に記載の発光モジュール。
【手続補正書】
【提出日】令和3年9月22日(2021.9.22)
【手続補正１】
【補正対象書類名】明細書
【補正対象項目名】０００５
【補正方法】変更
【補正の内容】
【０００５】
光吸収層の膜厚については、その膜厚が大きいほど、半導体受光素子に信号光が入射された際に、信号光が光吸収層内を通過する距離(光路長)が大きくなる。一方で、光吸収層内で生じた電子、および正孔（キャリア）は、電極に到達するまでにより大きい距離を走行する必要がある。この為、光吸収層の膜厚が大きいほど、受光感度は高くなるが、動作速度は低下する。
【手続補正２】
【補正対象書類名】明細書
【補正対象項目名】０００７
【補正方法】変更
【補正の内容】
【０００７】
上記のように、受光感度が大きく、かつ高速動作が可能な半導体受光素子を実現するためには、信号光の素子内における光路長を大きくとり、かつ動作面積を小さくしながらも可能な限り信号光を受光する面積を大きくする設計が求められる。この為、図１に示すように例えば素子の上部に、上方から見てリング状の電極１０６と反射ミラー１０５を備えた受光素子が提案されている（非特許文献１）。
【手続補正３】
【補正対象書類名】明細書
【補正対象項目名】０００８
【補正方法】変更
【補正の内容】
【０００８】
図１に示す半導体受光素子１００の構造では、ＩｎＰ基板１０１上にｐ型のＩｎＰを含むコンタクト層１０２、アンドープのＩｎＧａＡｓを含む光吸収層１０３、ｎ型のＩｎＰを含むコンタクト層１０４の順に積層された層構造を有している。また、最上部のｎ型のＩｎＰを含むコンタクト層１０４は最も小さいメサに加工され、続いてアンドープのＩｎＧａＡｓを含む光吸収層１０３、Ｐ型のＩｎＰを含むコンタクト層１０２、の順にその外形が段階的に大きくなる多段メサ構造を有している。ｎ型のコンタクト層１０４の上部には、反射ミラー１０５及びリング状の電極１０６が形成されており、また反射ミラー１０５の側面にはリング状の電極１０６が形成される。図１に示す半導体受光素子１００の構造では、信号光は半導体受光素子１００のＩｎＰ基板１０１の裏面側より入射され、素子の上部の反射ミラー１０５で反射される。この為、信号光は光吸収層１０３を往復する（2-ｐａｓｓ構造）ことで光路長を拡大し、受光感度を向上させている。一方、電流を取り出すリング状の電極１０６（上部電極）は、反射ミラー１０５を取り囲むようなリング形状になっている。
【手続補正４】
【補正対象書類名】明細書
【補正対象項目名】００１５
【補正方法】変更
【補正の内容】
【００１５】
本発明の半導体受光素子の一態様は、第一の不純物がドーピングされた半導体層と、前記第一の不純物がドーピングされた半導体層上の入射光を吸収するようバンドギャップエネルギーが調整された半導体光吸収層と、前記半導体光吸収層上の第二の不純物がドーピングされた半導体層と、前記第二の不純物がドーピングされた半導体層の側面と接する金属電極と、を備えた半導体受光素子において、前記金属電極の側面は、前記第二の不純物がドーピングされた半導体層の成長方向に対し平行となる面であることを特徴とする。なお、前記第一の不純物がＰ型の不純物である場合、前記第二の不純物がｎ型の不純物であり、前記第一の不純物がｎ型の不純物である場合、前記第二の不純物がＰ型の不純物である。
【手続補正５】
【補正対象書類名】明細書
【補正対象項目名】００１７
【補正方法】変更
【補正の内容】
【００１７】
【図１】従来の半導体受光素子を示す図である。
【図２】本発明の第１の実施形態の半導体受光素子を示す図である。
【図３】本発明の第１の実施形態の半導体受光素子の作製工程を示す図である。
【図４】本発明の第１の実施形態の半導体受光素子の作製工程を示す図である。
【図５】本発明の第１の実施形態の半導体受光素子の作製工程を示す図である。
【図６】本発明の第２の実施形態の半導体受光素子を示す図である。
【図７】本発明の第３の実施形態の半導体受光素子を示す図である。
【手続補正６】
【補正対象書類名】明細書
【補正対象項目名】００２５
【補正方法】変更
【補正の内容】
【００２５】
ところで、本実施形態に示したメタルを含むミラー膜２０５と金属電極２０６は、接触していても目的とする特性を損なうことはない。これは、半導体受光素子２００で発生した電子はｎ型のＩｎＰを含むコンタクト層２０４から、金属電極２０６を介し、さらにミラー膜２０５及び金属電極２０６を介して外部回路へと取り出されることができるためであり、ミラーと電極が金属であれば、半導体と比べてその抵抗は小さいため、半導体受光素子２００全体の抵抗には影響しないためである。
【手続補正７】
【補正対象書類名】明細書
【補正対象項目名】００３７
【補正方法】変更
【補正の内容】
【００３７】
また、本実施形態においては、半導体の成長方向と水平な面で、金属電極２０６と接触するｎ型のＩｎＰを含むコンタクト層２０４の膜厚を０．３μｍとしている。これは、金属電極２０６との接触面積を大きくとり、コンタクト抵抗を低減するためである。このｎ型のＩｎＰを含むコンタクト層２０４の膜厚は、厚ければ厚いほどコンタクト抵抗の低減に有効であることは言うまでもないが、現実的には、あまり厚くすることでエピ層の結晶品質を損なうことがある。動作帯域が５０ＧＨｚ程度までの受光素子であれば、コンタクト層２０４の膜厚は少なくとも０．３μｍ程度あれば、深刻なコンタクト抵抗の工程効果を招くことは無い。
【手続補正８】
【補正対象書類名】図面
【補正対象項目名】図６
【補正方法】変更
【補正の内容】
【図６】
2020174079.tif 000001
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において操作が受付けされると、該受付けがなされたことに基づいて受付後変化を実行可能な受付変化実行手段と
を備え、
前記受付後変化では、前記摸画像表示を視認し難くする重複演出表示が実行されうる遊技機であって、
前記受付状態として、特定の受付状態が用意されており、
前記特定の受付状態の発生に先立って、該特定の受付状態に対応する特定の前演出表示が表示可能とされ、該特定の前演出表示は、前記特定の受付状態の発生タイミングを跨るかたちで表示されるようになっており、
前記特定の受付状態で遊技者による操作の受付けがなされた場合は、該受付けに応じた受付後変化が実行可能とされ、該受付後変化のうち前記重複演出表示が表示開始される時点においては、前記特定の前演出表示が非表示の状態にされておらず表示されている場合と、前記特定の前演出表示が表示されていない場合との両方があるようになっており、
前記特定の受付状態で遊技者による操作の受付けがなされない場合は、該受付けがなされたときと同じ受付後変化が実行可能とされるが、該受付後変化のうち前記重複演出表示が表示開始される時点において前記特定の前演出表示が表示されている場合はないようになっており、
前記特定の受付状態に対応する前記受付後変化のうち前記重複演出表示が表示開始される時点において前記特定の前演出表示が表示されている場合、前記重複演出表示は、該特定の前演出表示を視認し難くするように表示可能であり、
さらに、
前記特定の受付状態に対応する前記受付後変化のうち前記重複演出表示が表示開始される時点において前記特定の前演出表示が非表示の状態にされておらず表示されている場合、該特定の前演出表示は、前記重複演出表示が表示されている間に非表示の状態にされるようになっており、
さらに、
前記受付状態において前記摸画像表示の周期的変化が所定時間単位で現れるように表示されている場合は、該摸画像表示に対応する操作の受付けが複数回許容される種別の受付状態として当該受付状態が発生している状況下にあるが、前記受付状態において前記摸画像表示の周期的変化が所定時間よりも長い時間単位で現れるように表示されている場合は、該摸画像表示に対応する操作の受付けが複数回許容される種別の受付状態として当該受付状態が発生している状況下にある場合と、該摸画像表示に対応する操作の受付けが１回しか許容されない種別の受付状態として当該受付状態が発生している状況下にある場合との両方がある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において操作が受付けされると、該受付けがなされたことに基づいて受付後変化を実行可能な受付変化実行手段と
を備え、
前記受付後変化では、前記摸画像表示を視認し難くする重複演出表示が実行されうる遊技機であって、
前記受付状態として、特定の受付状態が用意されており、
前記特定の受付状態の発生に先立って、該特定の受付状態に対応する特定の前演出表示が表示可能とされ、該特定の前演出表示は、前記特定の受付状態の発生タイミングを跨るかたちで表示されるようになっており、
前記特定の受付状態で遊技者による操作の受付けがなされた場合は、該受付けに応じた受付後変化が実行可能とされ、該受付後変化のうち前記重複演出表示が表示開始される時点においては、前記特定の前演出表示が非表示の状態にされておらず表示されている場合と、前記特定の前演出表示が表示されていない場合との両方があるようになっており、
前記特定の受付状態で遊技者による操作の受付けがなされない場合は、該受付けがなされたときと同じ受付後変化が実行可能とされるが、該受付後変化のうち前記重複演出表示が表示開始される時点において前記特定の前演出表示が表示されている場合はないようになっており、
前記特定の受付状態に対応する前記受付後変化のうち前記重複演出表示が表示開始される時点において前記特定の前演出表示が表示されている場合、前記重複演出表示は、該特定の前演出表示を視認し難くするように表示可能であり、
さらに、
前記特定の受付状態に対応する前記受付後変化のうち前記重複演出表示が表示開始される時点において前記特定の前演出表示が非表示の状態にされておらず表示されている場合、該特定の前演出表示は、前記重複演出表示が表示されている間に非表示の状態にされるようになっており、
さらに、
前記受付状態において前記摸画像表示の周期的変化が所定時間単位で現れるように表示されている場合は、該摸画像表示に対応する操作の受付けが複数回許容される種別の受付状態として当該受付状態が発生している状況下にあるが、前記受付状態において前記摸画像表示の周期的変化が所定時間よりも長い時間単位で現れるように表示されている場合は、該摸画像表示に対応する操作の受付けが複数回許容される種別の受付状態として当該受付状態が発生している状況下にある場合と、該摸画像表示に対応する操作の受付けが１回しか許容されない種別の受付状態として当該受付状態が発生している状況下にある場合との両方がある
ことを特徴とする遊技機。
【手続補正４】
【補正対象書類名】明細書
【補正対象項目名】０００８
【補正方法】削除
【補正の内容】
【手続補正書】
【提出日】令和3年2月23日(2021.2.23)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において操作が受付けされると、該受付けがなされたことに基づいて受付後変化を実行可能な受付変化実行手段と、
前記受付状態が発生する場合、該受付状態が発生するよりも前から該受付状態の発生タイミングを跨るかたちで前記摸画像表示とは異なる操作関連演出表示を表示可能な操作関連演出表示手段と
を備え、
前記受付状態として、特定の受付状態が用意されており、
前記操作関連演出表示が表示状態にあるときに前記特定の受付状態で遊技者による操作の受付けがなされた場合、該受付けに応じた受付後変化として、前記操作関連演出表示に対してその前側から重なって見える前側演出表示と、前記操作関連演出表示に対してその背後側から重なって見える背後側演出表示とが、前記操作関連演出表示が非表示にされるまでの間に表示可能とされるようになっており、
さらに、
前記操作関連演出表示は、前記背後側演出表示が表示されている間に非表示の状態にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において操作が受付けされると、該受付けがなされたことに基づいて受付後変化を実行可能な受付変化実行手段と、
前記受付状態が発生する場合、該受付状態が発生するよりも前から該受付状態の発生タイミングを跨るかたちで前記摸画像表示とは異なる操作関連演出表示を表示可能な操作関連演出表示手段と
を備え、
前記受付状態として、特定の受付状態が用意されており、
前記操作関連演出表示が表示状態にあるときに前記特定の受付状態で遊技者による操作の受付けがなされた場合、該受付けに応じた受付後変化として、前記操作関連演出表示に対してその前側から重なって見える前側演出表示と、前記操作関連演出表示に対してその背後側から重なって見える背後側演出表示とが、前記操作関連演出表示が非表示にされるまでの間に表示可能とされるようになっており、
さらに、
前記操作関連演出表示は、前記背後側演出表示が表示されている間に非表示の状態にされる
ことを特徴とする遊技機。
【手続補正４】
【補正対象書類名】明細書
【補正対象項目名】０００８
【補正方法】削除
【補正の内容】
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において操作が受付けされると、該受付けがなされたことに基づいて受付後変化を実行可能な受付変化実行手段と、
前記受付状態が発生する場合、該受付状態が発生するよりも前から該受付状態の発生タイミングを跨るかたちで前記摸画像表示とは異なる操作関連演出表示を表示可能な操作関連演出表示手段と
を備え、
前記受付後変化では、前記摸画像表示を視認し難くする特別演出表示が実行されうる遊技機であって、
前記操作関連演出表示は、前記受付状態での受付けに応じた前記受付後変化が実行開始される時点において、非表示の状態ではなく表示されている場合と、非表示の状態にある場合との両方があり、
前記特別演出表示は、前記受付状態での受付けに応じた前記受付後変化が実行開始される時点において表示開始されておらずこれよりも後のタイミングで表示開始可能なものであり、且つ該タイミングにおいて前記操作関連演出表示が表示されている場合は該操作関連演出表示を視認し難くするかたちで表示されるようになっており、
さらに、
前記操作関連演出表示は、前記特別演出表示が表示されるタイミングにおいても表示状態にある場合、該特別演出表示が表示されている間に非表示の状態にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において操作が受付けされると、該受付けがなされたことに基づいて受付後変化を実行可能な受付変化実行手段と、
前記受付状態が発生する場合、該受付状態が発生するよりも前から該受付状態の発生タイミングを跨るかたちで前記摸画像表示とは異なる操作関連演出表示を表示可能な操作関連演出表示手段と
を備え、
前記受付後変化では、前記摸画像表示を視認し難くする特別演出表示が実行されうる遊技機であって、
前記操作関連演出表示は、前記受付状態での受付けに応じた前記受付後変化が実行開始される時点において、非表示の状態ではなく表示されている場合と、非表示の状態にある場合との両方があり、
前記特別演出表示は、前記受付状態での受付けに応じた前記受付後変化が実行開始される時点において表示開始されておらずこれよりも後のタイミングで表示開始可能なものであり、且つ該タイミングにおいて前記操作関連演出表示が表示されている場合は該操作関連演出表示を視認し難くするかたちで表示されるようになっており、
さらに、
前記操作関連演出表示は、前記特別演出表示が表示されるタイミングにおいても表示状態にある場合、該特別演出表示が表示されている間に非表示の状態にされる
ことを特徴とする遊技機。
【手続補正４】
【補正対象書類名】明細書
【補正対象項目名】０００８
【補正方法】削除
【補正の内容】
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において操作が受付けされると、該受付けがなされたことに基づいて受付後変化を実行可能な受付演出実行手段と、
前記受付状態が発生する場合、該受付状態が発生するよりも前から該受付状態の発生タイミングを跨るかたちで前記摸画像表示とは異なる操作関連演出表示を表示可能な操作関連演出表示手段と
を備え、
前記受付後変化では、前記摸画像表示を視認し難くする特別演出表示が実行されうる遊技機であって、
前記受付状態として、第１の受付状態及び第２の受付状態が用意されており、
前記第１の受付状態が発生する場合は、該第１の受付状態に対応する操作関連演出表示として特定の操作関連演出表示が少なくとも表示可能であり、
前記第２の受付状態が発生する場合は、該第２の受付状態に対応する操作関連演出表示として特別の操作関連演出表示が少なくとも表示可能であり、
前記第１の受付状態で遊技者による操作の受付けがなされた場合は、該受付けに応じた受付後変化が実行可能とされ、該受付後変化のうち前記特別演出表示が表示開始される時点においては、当該第１の受付状態に対応する前記特定の操作関連演出表示が非表示の状態にされておらず表示されている場合と、当該第１の受付状態に対応する前記特定の操作関連演出表示が非表示の状態にある場合との両方があるようになっており、
前記第２の受付状態で遊技者による操作の受付けがなされた場合は、該受付けに応じた受付後変化が実行可能とされ、該受付後変化のうち前記特別演出表示が表示開始される時点においては、当該第２の受付状態に対応する前記特別の操作関連演出表示が非表示の状態にある場合がなく、必ず表示されているようになっており、
前記第１の受付状態に対応する前記受付後変化のうち前記特別演出表示が表示開始される時点において前記特定の操作関連演出表示が非表示の状態にされておらず表示されている場合、該操作関連演出表示は、前記特別演出表示によって視認し難くされており、
さらに、
前記第１の受付状態に対応する前記受付後変化のうち前記特別演出表示が表示開始される時点において前記特定の操作関連演出表示が非表示の状態にされておらず表示されている場合、該特定の操作関連演出表示は、前記特別演出表示が表示されている間に非表示の状態にされるようになっており、
さらに、
前記受付状態として、第３の受付状態が用意されており、
前記第３の受付状態は、特定ＢＧＭが非抑制態様で可聴出力されているなかで発生する場合と、特定ＢＧＭが抑制態様または非可聴状態にされてから発生する場合との両方があり、
さらに、
前記第２の受付状態に対応する前記受付後変化のうち前記特別演出表示が表示される場合、前記特別の操作関連演出表示は、該特別演出表示によって視認し難くされうる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において操作が受付けされると、該受付けがなされたことに基づいて受付後変化を実行可能な受付演出実行手段と、
前記受付状態が発生する場合、該受付状態が発生するよりも前から該受付状態の発生タイミングを跨るかたちで前記摸画像表示とは異なる操作関連演出表示を表示可能な操作関連演出表示手段と
を備え、
前記受付後変化では、前記摸画像表示を視認し難くする特別演出表示が実行されうる遊技機であって、
前記受付状態として、第１の受付状態及び第２の受付状態が用意されており、
前記第１の受付状態が発生する場合は、該第１の受付状態に対応する操作関連演出表示として特定の操作関連演出表示が少なくとも表示可能であり、
前記第２の受付状態が発生する場合は、該第２の受付状態に対応する操作関連演出表示として特別の操作関連演出表示が少なくとも表示可能であり、
前記第１の受付状態で遊技者による操作の受付けがなされた場合は、該受付けに応じた受付後変化が実行可能とされ、該受付後変化のうち前記特別演出表示が表示開始される時点においては、当該第１の受付状態に対応する前記特定の操作関連演出表示が非表示の状態にされておらず表示されている場合と、当該第１の受付状態に対応する前記特定の操作関連演出表示が非表示の状態にある場合との両方があるようになっており、
前記第２の受付状態で遊技者による操作の受付けがなされた場合は、該受付けに応じた受付後変化が実行可能とされ、該受付後変化のうち前記特別演出表示が表示開始される時点においては、当該第２の受付状態に対応する前記特別の操作関連演出表示が非表示の状態にある場合がなく、必ず表示されているようになっており、
前記第１の受付状態に対応する前記受付後変化のうち前記特別演出表示が表示開始される時点において前記特定の操作関連演出表示が非表示の状態にされておらず表示されている場合、該操作関連演出表示は、前記特別演出表示によって視認し難くされており、
さらに、
前記第１の受付状態に対応する前記受付後変化のうち前記特別演出表示が表示開始される時点において前記特定の操作関連演出表示が非表示の状態にされておらず表示されている場合、該特定の操作関連演出表示は、前記特別演出表示が表示されている間に非表示の状態にされるようになっており、
さらに、
前記受付状態として、第３の受付状態が用意されており、
前記第３の受付状態は、特定ＢＧＭが非抑制態様で可聴出力されているなかで発生する場合と、特定ＢＧＭが抑制態様または非可聴状態にされてから発生する場合との両方があり、
さらに、
前記第２の受付状態に対応する前記受付後変化のうち前記特別演出表示が表示される場合、前記特別の操作関連演出表示は、該特別演出表示によって視認し難くされうる
ことを特徴とする遊技機。
【手続補正４】
【補正対象書類名】明細書
【補正対象項目名】０００８
【補正方法】削除
【補正の内容】
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される第１受付状態を発生可能であり、該第１受付状態において遊技者による操作が受付けされると、該受付けがなされたことに基づいて第１受付後変化を実行可能な第１受付変化実行手段と、
前記操作手段に対する操作の受付けが許容される第２受付状態を発生可能であり、該第２受付状態において遊技者による操作が受付けされると、該受付けがなされたことに基づいて第２受付後変化を実行可能な第２受付変化実行手段と
を備え、
前記第１受付後変化は、期待度が異なる複数態様のいずれかで実行可能とされるものであり、当該第１受付後変化の１つとして、前記摸画像表示が非表示の状態にされるよりも前に、該摸画像表示が視認し難くなる態様を第１態様として出現可能であり、
前記第２受付後変化は、期待度が異なる複数態様のいずれかで実行可能とされるものであり、当該第２受付後変化の１つとして、前記摸画像表示が非表示の状態にされるよりも前に、該摸画像表示が視認し難くなる態様を第２態様として出現可能であり、
前記第１態様は、前記第１受付後変化が前記複数態様のうち低期待態様で実行される場合と該低期待態様よりも期待度の高い高期待態様で実行される場合とのいずれの場合であっても出現可能とされるが、前記第２態様は、前記第２受付後変化が前記複数態様のうち低期待態様で実行される場合と該低期待態様よりも期待度の高い高期待態様で実行される場合とのうち前記高期待態様で実行される場合に限り出現可能とされ、
前記第２受付状態が発生するよりも前に特定の前演出表示を表示可能であり、該特定の前演出表示は、前記第２受付状態が発生するタイミングに跨るかたちで実行可能とされており、
前記第２受付状態で前記操作手段に対する操作が受付けされると、前記第２態様が出現する時点において前記特定の前演出表示は非表示の状態にされておらず表示されている場合と、非表示の状態にされている場合との両方があるようになっており、
さらに、
前記第２受付後変化が実行開始される時点においては、前記特定の前演出表示は非表示の状態にされておらず表示されている場合があるが、前記第２態様は未だ出現しておらずこれよりも後のタイミングで出現しうるようになっており、
さらに、
前記特定の前演出表示が表示されているなかで前記操作手段に対する操作が受付けされると、前記第２態様が実行開始される時点において前記特定の前演出表示は非表示の状態にされておらず表示されているが、該特定の前演出表示が表示されてから非表示にされるまでの時間は、前記第２受付状態において遊技者による操作が行われなかった場合よりも短くされうる
ことを特徴とする遊技機。
【請求項２】
前記第１態様及び前記第２態様は同じ態様である
請求項１に記載の遊技機。
【手続補正２】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される第１受付状態を発生可能であり、該第１受付状態において遊技者による操作が受付けされると、該受付けがなされたことに基づいて第１受付後変化を実行可能な第１受付変化実行手段と、
前記操作手段に対する操作の受付けが許容される第２受付状態を発生可能であり、該第２受付状態において遊技者による操作が受付けされると、該受付けがなされたことに基づいて第２受付後変化を実行可能な第２受付変化実行手段と
を備え、
前記第１受付後変化は、期待度が異なる複数態様のいずれかで実行可能とされるものであり、当該第１受付後変化の１つとして、前記摸画像表示が非表示の状態にされるよりも前に、該摸画像表示が視認し難くなる態様を第１態様として出現可能であり、
前記第２受付後変化は、期待度が異なる複数態様のいずれかで実行可能とされるものであり、当該第２受付後変化の１つとして、前記摸画像表示が非表示の状態にされるよりも前に、該摸画像表示が視認し難くなる態様を第２態様として出現可能であり、
前記第１態様は、前記第１受付後変化が前記複数態様のうち低期待態様で実行される場合と該低期待態様よりも期待度の高い高期待態様で実行される場合とのいずれの場合であっても出現可能とされるが、前記第２態様は、前記第２受付後変化が前記複数態様のうち低期待態様で実行される場合と該低期待態様よりも期待度の高い高期待態様で実行される場合とのうち前記高期待態様で実行される場合に限り出現可能とされ、
前記第２受付状態が発生するよりも前に特定の前演出表示を表示可能であり、該特定の前演出表示は、前記第２受付状態が発生するタイミングに跨るかたちで実行可能とされており、
前記第２受付状態で前記操作手段に対する操作が受付けされると、前記第２態様が出現する時点において前記特定の前演出表示は非表示の状態にされておらず表示されている場合と、非表示の状態にされている場合との両方があるようになっており、
さらに、
前記第２受付後変化が実行開始される時点においては、前記特定の前演出表示は非表示の状態にされておらず表示されている場合があるが、前記第２態様は未だ出現しておらずこれよりも後のタイミングで出現しうるようになっており、
さらに、
前記特定の前演出表示が表示されているなかで前記操作手段に対する操作が受付けされると、前記第２態様が実行開始される時点において前記特定の前演出表示は非表示の状態にされておらず表示されているが、該特定の前演出表示が表示されてから非表示にされるまでの時間は、前記第２受付状態において遊技者による操作が行われなかった場合よりも短くされうる
ことを特徴とする遊技機。
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において遊技者による操作が受付けされると、該受付けがなされたことに基づいて受付後演出を実行可能な受付演出実行手段と
を備え、
前記受付状態として、前記受付けを契機として実行される受付後演出の内容が異なる複数の受付状態が用意されており、
前記摸画像表示は、遊技者による操作が受付けされたことに基づいて受付後演出が実行開始された以降も表示されうるものであり、
前記複数の受付状態のうち第１受付状態において遊技者による操作が受付けされた場合、該受付けがなされたことに基づいて第１の受付後演出が実行可能とされ、該第１の受付後演出では、前記摸画像表示が視認し難くなる第１演出態様を出現可能であり、
前記複数の受付状態のうち第２受付状態において遊技者による操作が受付けされた場合、該受付けがなされたことに基づいて前記第１の受付後演出とは異なる第２の受付後演出が実行可能とされ、該第２の受付後演出では、前記摸画像表示が視認し難くなる演出態様として前記第１演出態様とは異なる第２演出態様を出現可能であり、
前記複数の受付状態のうち第３受付状態において遊技者による操作が受付けされた場合、該受付けがなされたことに基づいて前記第１の受付後演出及び前記第２の受付後演出のいずれとも異なる第３の受付後演出が実行可能とされるが、該第３の受付後演出では、前記摸画像表示が視認し難くなる演出態様として前記第１演出態様を出現可能であり、
前記第１受付状態、前記第２受付状態、及び前記第３受付状態においては、前記摸画像表示として同じ態様が表示可能とされ、
さらに、
前記受付状態において前記摸画像表示の周期的変化が所定時間単位で現れるように表示されている場合は、該摸画像表示に対応する操作については複数回の受付けが許容されている状態にあるが、前記受付状態において前記摸画像表示の周期的変化が所定時間よりも長い時間単位で現れるように表示されている場合は、該摸画像表示に対応する操作については複数回の受付けが許容されている状態にある場合と、１回の受付けだけが許容されている状態にある場合との両方があるようになっており、
さらに、
前記受付状態の発生タイミングを跨るかたちで特定の前演出表示が表示可能とされ、
前記受付状態において前記特定の前演出表示が表示されているなかで前記受付けがなされた場合、該受付けに応じた前記受付後演出が実行開始される時点において、前記特定の前演出表示は非表示の状態にされておらず表示されている
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において遊技者による操作が受付けされると、該受付けがなされたことに基づいて受付後演出を実行可能な受付演出実行手段と
を備え、
前記受付状態として、前記受付けを契機として実行される受付後演出の内容が異なる複数の受付状態が用意されており、
前記摸画像表示は、遊技者による操作が受付けされたことに基づいて受付後演出が実行開始された以降も表示されうるものであり、
前記複数の受付状態のうち第１受付状態において遊技者による操作が受付けされた場合、該受付けがなされたことに基づいて第１の受付後演出が実行可能とされ、該第１の受付後演出では、前記摸画像表示が視認し難くなる第１演出態様を出現可能であり、
前記複数の受付状態のうち第２受付状態において遊技者による操作が受付けされた場合、該受付けがなされたことに基づいて前記第１の受付後演出とは異なる第２の受付後演出が実行可能とされ、該第２の受付後演出では、前記摸画像表示が視認し難くなる演出態様として前記第１演出態様とは異なる第２演出態様を出現可能であり、
前記複数の受付状態のうち第３受付状態において遊技者による操作が受付けされた場合、該受付けがなされたことに基づいて前記第１の受付後演出及び前記第２の受付後演出のいずれとも異なる第３の受付後演出が実行可能とされるが、該第３の受付後演出では、前記摸画像表示が視認し難くなる演出態様として前記第１演出態様を出現可能であり、
前記第１受付状態、前記第２受付状態、及び前記第３受付状態においては、前記摸画像表示として同じ態様が表示可能とされ、
さらに、
前記受付状態において前記摸画像表示の周期的変化が所定時間単位で現れるように表示されている場合は、該摸画像表示に対応する操作については複数回の受付けが許容されている状態にあるが、前記受付状態において前記摸画像表示の周期的変化が所定時間よりも長い時間単位で現れるように表示されている場合は、該摸画像表示に対応する操作については複数回の受付けが許容されている状態にある場合と、１回の受付けだけが許容されている状態にある場合との両方があるようになっており、
さらに、
前記受付状態の発生タイミングを跨るかたちで特定の前演出表示が表示可能とされ、
前記受付状態において前記特定の前演出表示が表示されているなかで前記受付けがなされた場合、該受付けに応じた前記受付後演出が実行開始される時点において、前記特定の前演出表示は非表示の状態にされておらず表示されている
ことを特徴とする遊技機。
【手続補正４】
【補正対象書類名】明細書
【補正対象項目名】０００８
【補正方法】削除
【補正の内容】
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段に対する操作の受付けが許容される受付状態が発生する場合、前記操作手段を摸した摸画像表示を表示可能であり、該摸画像表示が表示されているなかで遊技者による操作が受付けされると、該受付けされたことに基づいて前記摸画像表示を非表示の状態にする摸画像表示実行手段と、
前記受付状態が発生するのに先立って、第１前態様及び第２前態様を含む複数態様のいずれかで前演出表示を実行可能な前演出実行手段と
を備え、
前記受付状態において遊技者による操作が受付けされてから前記摸画像表示が非表示の状態にされるまでの期間内では、該摸画像表示とは異なる特定態様の消滅演出表示が表示される場合があり、該特定態様の消滅演出表示は、前記摸画像表示に対してその前側から重なって見える態様で表示されるものであり、
前記判定手段の判定結果が特別結果であることに基づいて前記前演出表示が前記第１前態様で実行されて該前演出表示に対応する受付状態において遊技者による操作が受付けされた場合、前記特定態様の消滅演出表示は、前記摸画像表示が非表示の状態にされるまでの間に表示されることはないが、
前記判定手段の判定結果が特別結果であることに基づいて前記前演出表示が前記第２前態様で実行されて該前演出表示に対応する受付状態において遊技者による操作が受付けされた場合、前記特定態様の消滅演出表示は、前記摸画像表示が非表示の状態にされるまでの間に表示される場合と表示されない場合とがあるようになっており、
さらに、
前記前演出表示は、前記受付状態の発生タイミングを跨るかたちで表示される場合があり、
前記受付状態において前記前演出表示が表示されているなかで前記受付けがなされた場合、該受付けに応じた受付後演出が実行開始される時点において、前記前演出表示は非表示の状態にされておらず表示されている
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段に対する操作の受付けが許容される受付状態が発生する場合、前記操作手段を摸した摸画像表示を表示可能であり、該摸画像表示が表示されているなかで遊技者による操作が受付けされると、該受付けされたことに基づいて前記摸画像表示を非表示の状態にする摸画像表示実行手段と、
前記受付状態が発生するのに先立って、第１前態様及び第２前態様を含む複数態様のいずれかで前演出表示を実行可能な前演出実行手段と
を備え、
前記受付状態において遊技者による操作が受付けされてから前記摸画像表示が非表示の状態にされるまでの期間内では、該摸画像表示とは異なる特定態様の消滅演出表示が表示される場合があり、該特定態様の消滅演出表示は、前記摸画像表示に対してその前側から重なって見える態様で表示されるものであり、
前記判定手段の判定結果が特別結果であることに基づいて前記前演出表示が前記第１前態様で実行されて該前演出表示に対応する受付状態において遊技者による操作が受付けされた場合、前記特定態様の消滅演出表示は、前記摸画像表示が非表示の状態にされるまでの間に表示されることはないが、
前記判定手段の判定結果が特別結果であることに基づいて前記前演出表示が前記第２前態様で実行されて該前演出表示に対応する受付状態において遊技者による操作が受付けされた場合、前記特定態様の消滅演出表示は、前記摸画像表示が非表示の状態にされるまでの間に表示される場合と表示されない場合とがあるようになっており、
さらに、
前記前演出表示は、前記受付状態の発生タイミングを跨るかたちで表示される場合があり、
前記受付状態において前記前演出表示が表示されているなかで前記受付けがなされた場合、該受付けに応じた受付後演出が実行開始される時点において、前記前演出表示は非表示の状態にされておらず表示されている
ことを特徴とする遊技機。
【手続補正４】
【補正対象書類名】明細書
【補正対象項目名】０００８
【補正方法】削除
【補正の内容】
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
複数の端末と、ロケーション管理装置と、を含むモバイル通信システムのサーバであって、
前記ロケーション管理装置から、前記複数の端末の位置に基づく第１の情報を受信する受信手段と、
前記第１の情報を受信した場合に、前記複数の端末に関してグループを生成する生成手段と、
前記グループのＩＤと、前記生成の結果を示す情報と、を含むメッセージを、前記複数の端末に含まれる第１の端末に送信する送信手段と、
を有する、サーバ。
【請求項２】
前記第１の端末は、前記グループを管理する端末である、
請求項１に記載のサーバ。
【請求項３】
ロケーション管理装置とサーバを含むモバイル通信システムにおける複数の端末の一端末であって、
前記ロケーション管理装置から前記複数の端末の位置に基づく第１の情報を受信した場合に前記複数の端末に関してグループを生成する前記サーバから、前記グループのＩＤと、前記生成の結果を示す情報と、を含むメッセージを受信する手段を有する、端末。
【請求項４】
前記端末は、前記グループを管理する端末である、
請求項３に記載の端末。
【請求項５】
複数の端末と、ロケーション管理装置と、を含むモバイル通信システムのサーバの方法であって、
前記ロケーション管理装置から、前記複数の端末の位置に基づく第１の情報を受信し、
前記第１の情報を受信した場合に、前記複数の端末に関してグループを生成し、
前記グループのＩＤと、前記生成の結果を示す情報と、を含むメッセージを、前記複数の端末に含まれる第１の端末に送信する、
サーバの方法。
【請求項６】
前記第１の端末は、前記グループを管理する端末である、
請求項５に記載のサーバの方法。
【請求項７】
ロケーション管理装置とサーバを含むモバイル通信システムにおける複数の端末の一端末の方法であって、
前記ロケーション管理装置から前記複数の端末の位置に基づく第１の情報を受信した場合に前記複数の端末に関してグループを生成する前記サーバから、前記グループのＩＤと、前記生成の結果を示す情報と、を含むメッセージを受信する、
端末の方法。
【請求項８】
前記端末は、前記グループを管理する端末である、
請求項７に記載の端末の方法。